(57)【要約】      （修正有）【課題】容器本体から蓋を開いたとき両者が離脱せず、しかも重ね合わせ可能な合成樹脂容器の構造を提供する。【解決手段】合成樹脂製で容器本体１に被蓋自在な蓋９と、容器本体の一側周縁２とこれに対向する蓋の一側周縁３間とを帯状ヒンジ６で連結し、帯状ヒンジは蓋を容器本体から開いたときに帯状ヒンジを捻ながらその蓋９を１８０度反転でき、しかも蓋の内側が容器本体の外側底面５と重ね合わせ可能な長さを有する。【選択図】図１
0003166665.tif 000002
【実用新案登録請求の範囲】
【請求項１】
合成樹脂製で容器本体に被蓋自在な蓋と、該容器本体の一側周縁部とこれに対向する蓋の一側周縁間とを帯状ヒンジで連結したことを特徴とする合成樹脂容器。
【請求項２】
前記帯状ヒンジは、蓋を容器本体から開いたときに該帯状ヒンジを捻ることにより前記蓋を１８０度反転でき、しかも該蓋の内側が容器本体の外側底部と重ね合わせ可能な長さを有していることを特徴とする請求項１記載の合成樹脂容器。
【請求項３】
前記容器本体の外側底部と蓋の内側の形状は、両者を重ね合わせた際にその容器本体と蓋双方のリブが当接することにより両者間に空間が形成されるように構成したことを特徴とする請求項１記載の合成樹脂容器。
【請求項４】
前記帯状のヒンジの表面には１８０度捻り可能なように折り筋を形成したことを特徴とする請求項２記載の合成樹脂容器。
【請求項５】
前記帯状ヒンジの厚さは、少なくも容器本体又は蓋の何れかの厚さと同等か又はそれよりも薄く形成したことを特徴とする請求項２記載の合成樹脂容器。
【考案の詳細な説明】
【技術分野】
【０００１】  本考案は合成樹脂製蓋付容器の蓋と本体との脱着構造に関するもので、より詳しくは蓋を容器本体から開いたときでも帯状ヒンジを介して両者が離脱することなく容器本体の底部に重ね合わせできるようにした合成樹脂容器に関する。
【背景技術】
【０００２】  従来、プラスチック類例えばポリスチレンやポリプロピレンなど薄肉の合成樹脂製蓋付容器は、蓋と容器本体とがそのまま別々に分離可能に構成したもの（特許文献１）、及び蓋と容器本体間に屈曲可能なヒンジ部を一体成形にて設け、該蓋を開閉自在にしたもの（特許文献２及び３）が用いられている。
【先行技術文献】
【特許文献】
【０００３】
【特許文献１】特開２００１−２１３４号公報
【特許文献２】特開２００８−９４４３５号公報
【特許文献３】実用新案登録第３１２３１８８号公報
【考案の概要】
【考案が解決しようとする課題】
【０００４】  従来の合成樹脂製蓋付容器中、特許文献１のものは開いた蓋をそのまま裏返して本体と重ね合わせることができる反面、風などの外力によって飛ばされたり誤って落下したりする虞がある。一方、特許文献２及び特許文献３のものは容器本体と蓋を連結するヒンジ部に復元反発力があるうえ、一旦開いた蓋に押さえ手段がないとその反発力で再び開くと言う不都合がある。【０００５】  そこで、本考案は容器本体から蓋を開いた際に蓋と容器本体とを連結するヒンジ部を１８０度捻ると共に蓋を１８０度反転させてその内側を容器本体の底部に重ね合わせて使用でき、しかも使用後は再び蓋を捻り戻して容器本体の原位置に被せることにより風や外力で飛ばされることなくかつ蓋の開閉も容易な合成樹脂容器を提供することを目的とする。
【課題を解決するための手段】
【０００６】  上記目的を達成するために本考案は、合成樹脂製で容器本体１に被蓋自在な蓋９と、該容器本体の一側周縁２とこれに対向する蓋の一側周縁３間とを帯状ヒンジ６で連結し、該帯状ヒンジは前記蓋を容器本体１から開いたときに該帯状ヒンジを捻ながらその蓋９を１８０度反転でき、しかも蓋の内側が容器本体１の外側底面５と重ね合わせ可能な長さを有していること、さらには、前記容器本体１の外側底面５と蓋９の内側天面４には両者を重ね合わせた際に双方のリブ同士１１・１２の当接によって容器本体と蓋間に空間１３を形成するように構成したものである。
【考案の効果】
【０００７】  本考案によれば、合成樹脂製の容器本体と蓋周縁間を適宜長さの帯状ヒンジで連結する構造としたので、容器本体から蓋を開くときにも該蓋は帯状ヒンジを介して容器本体と連結し一体となっていることから風などの外力により蓋が容器本体から離脱して飛散することもなく、また誤って落下する虞もない。【０００８】  さらには、容器本体内に直接熱い食材を収納した場合でも該容器本体の外側底部と蓋の内側天面間に形成された空間によって断熱されていることから、重ね合わせた蓋の下面にはその熱が直接伝達し難い。よって、子供でも容易に素手で保持できる。而して、特に風の吹く屋外での利用や熱い食材を収納するときに好都合で利便性も高い。そのうえ、前記容器本体と蓋の重ね合わせにより一体となるので容器本体全体としての強度も増す他、その分両者の厚さを薄くでき安価となる。さらには、蓋を開いたときもその置き場所も不要で使い勝手がよいなど多くの利点を有する。
【産業上の利用可能性】
【０００９】  本考案は、家庭用食品容器に限らず、日常使用するあらゆる用途の小物容器又は食品類の収納容器として広範囲に利用できる。
【図面の簡単な説明】
【００１０】
【図１】本考案の容器本体と蓋の外観図である。
【図２】蓋を開いたときの外観図である。
【図３】蓋を１８０度反転させたときの外観図である。
【図４】容器本体下側に蓋を重ね合わせたときの態様図である。
【図５】容器本体に蓋を被せたときの外観図である。
【図６】容器本体の下側に蓋を重ね合わせたときの断面図である
【考案を実施するための形態】
【実施例】
【００１１】  以下、本考案の詳細を図１ないし図６により説明する。容器本体１と蓋９の一側周縁２、３の鍔部は帯状ヒンジ６によって両者一体的に接続すると共に各々は該帯状ヒンジを介して自由に反転可能となっている。【００１２】  これら、容器本体、蓋、帯状ヒンジの各々は、ポリスチレン樹脂又は、ポリエチレンテレフタレート樹脂、ポリポロピレン樹脂などのいわゆる合成樹脂により成形されており、このうち帯状ヒンジ６は容器本体１又は蓋９の厚さ（概ね０．２〜１．２ミリメートル）と同等もしくはそれよりもやや薄く（概ね０．１ミリメートル以下）成形されると共に、裏表１８０度捻って蓋の内側天面４を容器本体１の外側底面５とが重ね合わせ可能な長さに設定されている。【００１３】  また、容器本体１の底面には補強を兼ねた凹凸状のリブ１１が、一方蓋９の内側天面４には該蓋９の内側を容器本体に重ね合わせたときに前記リブ１１と対向する位置に突状リブ１２が形成されており、これによって両者を重ね合せたときに容器本体１の外側底部５と蓋９の内側天面４間に空間１３が形成するようになっている（図６）。【００１４】  また、容器本体１と蓋９の周縁２・３の鍔部は容器本体１を上方から蓋９が被って嵌まり込むようになっている。一方、帯状ヒンジ６は概ね１ないし３センチメートルの幅を有する薄板状のものであるが、蓋９と共に１８０度捻ったときにその捻り部が変形撓みを生じないようにその幅寸法又は厚さ寸法に応じて蛇腹状の折り筋を部分的に形成しておくと伸縮可能でかつ体裁もよい。【００１５】  なお、この帯状ヒンジ６は容器本体と蓋各々を別々に成形した後溶着又は接着等の接続手段により一体的に形成してもよく、また伸縮自在な板状又は紐状の部材であってもよいことは言うまでもない。【００１６】  次いで、以上で説明した本考案の作用について説明する。先ず、容器本体１内に食材を収納するときは、蓋９を図２のように開き、次いで帯状ヒンジ６間で該蓋を１８０度裏表に反転するように捻り（図３）、そのままその内側天面４を容器本体の外側底面５に重ね合わせて（図４）前記食材（図示せず）を収納又は詰め込む。【００１７】  その後、蓋９を再度１８０度戻すように反転させると共に帯状ヒンジ６捻り戻しながら蓋９を容器本体１上に被せる（図５）。このとき、帯状ヒンジ６は容器本体１と蓋９とを重ね合わせ可能な長さでかつ１８０度の捻りが可能なように薄くするか又は前述したように折り筋を形成することによって捻り後の態様も不揃いなく体裁もよい。【００１８】  なお、本考案本実施例では容器本体１の形態を舟状の容器として説明したが、これに限らず丸型、箱型、多角形など蓋との重ね合わせが可能な形状であっても同様の作用・効果を奏するものである。併せて、容器本体１、蓋９・帯状ヒンジ６の各々は同一素材でなくともよく、使用目的や大きさに応じて適宜選択可能であることは云うまでもない。
【符号の説明】
【００１９】  １      容器本体
４      内側天面
５      外側底面
６      帯状ヒンジ
９      蓋
１１      リブ
１２      突状リブ
１３      空間
【図１】
0003166665.tif 000003
【図２】
0003166665.tif 000004
【図３】
0003166665.tif 000005
【図４】
0003166665.tif 000006
【図５】
0003166665.tif 000007
【図６】
0003166665.tif 000008